(57)【要約】【課題】使用者の顔又は首の大きさに応じた横向き寝に相応しい枕本体、及び枕を提供する。【解決手段】一実施形態に係る枕本体１は、第１方向Ｄ１、及び第１方向Ｄ１に交差する第２方向Ｄ２、の双方に延びるベース枕１０と、ベース枕１０に、第１方向Ｄ１に沿って並ぶように取り付けられた一対の可動部５０と、を備え、一対の可動部５０のそれぞれは、ベース枕１０に設けられた固定部１５を介してベース枕１０に固定されると共に、固定部１５を基準として第２方向Ｄ２に移動可能とされている。一実施形態に係る枕は、枕本体１と，枕本体１を収容するカバーとを備える。【選択図】図１
2020171486.tif 000002
【特許請求の範囲】
【請求項１】
第１方向、及び前記第１方向に交差する第２方向、の双方に延びるベース枕と、
前記ベース枕に、前記第１方向に沿って並ぶように取り付けられた一対の可動部と、
を備え、
前記一対の可動部のそれぞれは、前記ベース枕に設けられた固定部を介して前記ベース枕に固定されると共に、前記固定部を基準として前記第２方向に移動可能とされている、
枕本体。
【請求項２】
前記固定部は、前記可動部から見て前記ベース枕の前記第１方向の中央側に設けられる、
請求項１に記載の枕本体。
【請求項３】
前記ベース枕は、前記可動部の下部に位置すると共に前記ベース枕を分断するスリットを有する、
請求項１又は２に記載の枕本体。
【請求項４】
前記ベース枕の前記第２方向の長さは、前記第１方向の両端側に向かうにつれて長くなっている、
請求項１〜３のいずれか一項に記載の枕本体。
【請求項５】
前記ベース枕は、前記可動部の下部に位置する内部空間を有し、
前記内部空間には、粒状体が収容されている、
請求項１〜４のいずれか一項に記載の枕本体。
【請求項６】
前記可動部は、前記ベース枕に対して着脱可能とされている、
請求項１〜５のいずれか一項に記載の枕本体。
【請求項７】
請求項１〜６のいずれか一項の枕本体と、
前記枕本体を収容するカバーと、
を備える枕。
【発明の詳細な説明】
【技術分野】
【０００１】
本開示は、使用者の頬が載せられる枕本体、及び枕本体を収容するカバーを備えた枕に関する。
【背景技術】
【０００２】
特開２０１４−７３２２３号公報には、横向き寝の姿勢とされた使用者の頭部を支持する枕が記載されている。この枕は、横に長く延びると共に使用者の後頭部が載せられる頭頂側部分と、横の長さが頭頂側部分よりも短いと共に使用者の耳周辺部及び頸部が載せられる頸部側部分とを備える。
【０００３】
平面視において、横に長く延びる頭頂側部分は枕の上部に位置し、横に短く延びる頸部側部分は枕の下部に位置する。頸部側部分の長さが頭頂側部分の長さよりも狭いことにより、使用者が横向き寝をしたときに使用者の頬は枕に接触しない。このように、横向き寝のときに使用者の頬を枕に接触させないようにすることにより、使用者の口腔の保護を図っている。
【０００４】
実用新案登録第３１８０７１０号公報には、皺防止美容枕が記載されている。皺防止美容枕は、平面視における中央部分に設けられた丸窪みと、皺防止美容枕の幅方向の一方側に位置する曲面状凸部と、皺防止美容枕の幅方向の他方側に位置する一対のカット除去部分とを有する。この皺防止美容枕では、使用者が横向き寝をしたときに使用者の頬がカット除去部分に対向し、使用者の頬は皺防止美容枕に接触しない。このように横向き寝をした使用者の頬の接触をカット除去部分で回避することにより、寝返りをしても頬に皺を生じさせない効果を狙っている。
【０００５】
実用新案登録第３２０３４２２号公報には、美容枕が記載されている。美容枕は、枕本体と、枕本体の長手方向の一端に位置する第１凹部と、枕本体の長手方向の他端に位置する第２凹部と、枕本体の幅方向の一方側に位置する円形の第３凹部とを有する。更に、美容枕は、枕本体の幅方向の他方側において枕本体の長手方向に延在する傾斜面を有する。
【０００６】
この美容枕において、使用者が寝返りを打つなどして体が横向きになると、使用者の頭も横向きとなり、使用者の頭は第１凹部又は第２凹部に対向する。よって、横向き寝をしても、使用者の目元から頬に至るまでの領域、すなわち化粧水等を塗布する領域は枕面に当接しない。その結果、横向き寝をしたときにおける顔の皺の発生、及び化粧が落ちることの防止を図っている。
【先行技術文献】
【特許文献】
【０００７】
【特許文献１】特開２０１４−７３２２３号公報
【特許文献２】実用新案登録第３１８０７１０号公報
【特許文献３】実用新案登録第３２０３４２２号公報
【発明の概要】
【発明が解決しようとする課題】
【０００８】
前述したように、横向き寝をした使用者の頬が枕に当接しない場合、頬が浮いた状態となるため、首等、頬以外の部分への圧力が大きくなる。すなわち、頬が浮いた状態になると、枕に対する身体の接触面積が小さくなって頬以外への部分にかかる圧力が大きくなるため、体圧分散性が低下する。従って、首が痛くなったりするため、横向き寝時において良好な寝心地を得られないという問題がある。
【０００９】
また、枕の長手方向の両端の高さを高くして頬への接触面積を大きくする枕が知られている。しかしながら、頬が当たる枕の部位は、使用者の顔又は首の大きさ等によって異なることが実情である。従って、枕の長手方向の両端の高さが高い枕であっても、必ずしも高い部分に使用者の頬が当たるとは限らない。このように、使用者の顔又は首の大きさが考慮されていないので、横向き寝に相応しい枕を提供できていないという現状がある。
【００１０】
本開示は、使用者の顔又は首の大きさに応じた横向き寝に相応しい枕本体、及び枕を提供することを目的とする。
【課題を解決するための手段】
【００１１】
本開示に係る枕本体は、第１方向、及び第１方向に交差する第２方向、の双方に延びるベース枕と、ベース枕に、第１方向に沿って並ぶように取り付けられた一対の可動部と、を備え、一対の可動部のそれぞれは、ベース枕に設けられた固定部を介してベース枕に固定されると共に、固定部を基準として第２方向に移動可能とされている。
【００１２】
この枕本体では、第１方向に沿って並ぶ一対の可動部がベース枕に取り付けられる。本明細書において、枕本体とは、カバーに収容される枕の本体部分を示しており、例えば、枕のカバー以外の部分を示している。一対の可動部のそれぞれは、ベース枕に設けられた固定部を基準として第１方向に交差する第２方向に移動可能とされている。従って、一対の可動部の第２方向における位置を調整することができるので、一対の可動部の間に使用者の顔及び首が載せられて使用者が横向き寝をしたときに、使用者の頬の位置に可動部の位置を合わせることが可能となる。すなわち、各可動部の第２方向における位置を横向き寝時における頬が当たる位置に合わせることができる。従って、使用者の顔又は首の大きさに応じて各可動部の位置を調整して可動部に使用者の頬が当たるようにすることができる。その結果、使用者の顔又は首の大きさを考慮して可動部の位置を調整することにより、使用者の身体に応じた横向き寝に相応しい枕とすることができる。更に、ベース枕に収容される内容物の量を調整しなくても、可動部の移動によって枕の高さを変えることができる。従って、枕の高さの変更を容易に行うことができる。
【００１３】
また、固定部は、可動部から見てベース枕の第１方向の中央側に設けられてもよい。この場合、ベース枕の第１方向の中央側に位置する固定部を基準として可動部が第２方向に移動する。よって、第１方向の中央側の固定部を基準として可動部が弧状に移動することにより、可動部の位置を使用者の頬が当たる位置に合わせやすくすることができる。その結果、より快適な横向き寝を使用者に提供することができる。
【００１４】
また、ベース枕は、可動部の下部に位置すると共にベース枕を分断するスリットを有してもよい。この場合、可動部の下部にベース枕のスリットが設けられる。従って、可動部の位置を調整するときに可動部をスリットに入り込ませることが可能となる。スリットに対する可動部の入り込み具合を調整することによって可動部の高さを調整できるので、使用者の身体により適した枕の高さとなるように調整を行うことが可能となる。その結果、使用者の顔又は首の大きさに応じて枕の高い部分を可変とすることができるので、より使用者の身体に適した枕とすることができる。
【００１５】
また、ベース枕の第２方向の長さは、第１方向の両端側に向かうにつれて長くなっていてもよい。この場合、ベース枕の形状は、第１方向の両端側に向かうにつれて幅広となる。すなわち、平面視におけるベース枕の形状が蝶形となるので、横向き寝時に使用者の顔が当たる枕の箇所の接触面積を大きくすることができる。従って、横向き寝時における体圧分散性を高めることができるので、更に快適な横向き寝を提供することができる。
【００１６】
また、ベース枕は、可動部の下部に位置する内部空間を有し、内部空間には、粒状体が収容されていてもよい。この場合、可動部の下部に位置するベース枕の内部空間に粒状体が収容されている。ベース枕の内容物として粒状体が収容される場合、ベース枕に外力が付与されたときに、付与された外力に応じてベース枕が変形し、当該変形後の形を維持することができる。すなわち、ベース枕の内容物として綿等が収容される場合には付与された外力が解除されると変形が元に戻ってしまうのに対し、ベース枕の内容物として粒状体が収容される場合には付与された外力を解除しても変形後の形を維持することができる。従って、粒状体が収容されたベース枕に上から可動部を押し付けると、可動部の押し付けに応じてベース枕が変形し、当該変形を維持しやすくすることができる。その結果、可動部の押し込み具合によって可動部の高さを自在に変更できるので、使用者の頬が当たる部部の高さを容易に変えることが可能となる。よって、使用者の身体により適した枕とすることができる。
【００１７】
また、可動部は、ベース枕に対して着脱可能とされていてもよい。この場合、不要な場合等には、可動部をベース枕から外してベース枕を通常の枕と同様に使用することが可能となる。従って、使用者の要求に応じて更に枕を自在に変形できるので、より使用者のニーズに合った枕とすることができる。
【００１８】
本開示に係る枕は、前述した枕本体と、枕本体を収容するカバーとを備える。この枕は、カバーの中に枕本体が収容されて用いられる。従って、前述した枕本体において、一対の可動部の第２方向における位置を調整することができ、各可動部の第２方向における位置を横向き寝時における頬が当たる位置に合わせることができる。従って、前述した枕本体と同様の作用効果が得られる。
【発明の効果】
【００１９】
本発明によれば、使用者の顔又は首の大きさに応じた横向き寝に相応しい枕を提供することができる。
【図面の簡単な説明】
【００２０】
【図１】図１は、実施形態に係る枕本体の表側を示す斜視図である。
【図２】図２は、図１の枕本体のベース枕の表側を模式的に示す平面図である。
【図３】図３は、図２のベース枕の裏側を模式的に示す平面図である。
【図４】図４は、図１のＩＶ−ＩＶ線断面図である。
【図５】図５は、図１のＶ−Ｖ線断面図である。
【図６】図６は、図１の枕本体の可動部の表側を示す図である。
【図７】図７は、図６の可動部の裏側を示す図である。
【図８】図８は、図６の可動部の側面を示す図である。
【図９】図９は、図６の可動部を図８とは反対側から見た側面を示す図である。
【図１０】図１０（ａ）、図１０（ｂ）及び図１０（ｃ）のそれぞれは、変形例に係るベース枕のスリットを模式的に示す図である。
【図１１】図１１は、変形例に係る可動部を示す図である。
【発明を実施するための形態】
【００２１】
以下では、図面を参照しながら本発明に係る枕本体、及び枕の実施形態について説明する。本発明は、以降の例示に限定されるものではなく、特許請求の範囲に示され、特許請求の範囲と均等の範囲内における全ての変更が含まれることが意図される。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。本明細書において「枕」とは、使用者の身体が載せられるものを示しており、例えば、就寝用の枕、仮眠用の枕、及び携帯用の枕と共に、クッションを含んでいる。「枕本体」とは、カバーに収容される枕の本体部分を示しており、例えば、枕のカバー以外の部分を示している。
【００２２】
図１は、本実施形態に係る枕本体１を示す斜視図である。図２は、枕本体１のベース枕１０の表面１０ｂを模式的に示す平面図である。表面１０ｂは、例えば、使用時に上方（敷き寝具の反対側）に向けられる面である。図１及び図２に示されるように、枕本体１はベース枕１０と可動部５０とを備え、ベース枕１０及び可動部５０は共にカバーに収容されて使用される。本実施形態に係る枕は、枕本体１と、枕本体１を収容する当該カバーとを備える。
【００２３】
例えば、ベース枕１０及び可動部５０の少なくともいずれかには、キルティングが施されていてもよい。この場合、ベース枕１０又は可動部５０の保温性を高めると共にデザイン性を高めることが可能となる。可動部５０は、例えば、ベース枕１０の上に載せられると共に、ベース枕１０の所定の位置に着脱可能とされている。
【００２４】
枕本体１は、例えば、一対の可動部５０を備える。各可動部５０は、ベース枕１０に設けられた固定部１５を介してベース枕１０に固定される。具体例として、可動部５０は、ベース枕１０の中央側左右両側部（例えば、中央枕部２０の左右両側のそれぞれ）に固定部１５を介して固定される。例えば、固定部１５は可動部５０が取り付けられる複数のホック１６を備えており、複数のホック１６は第２方向Ｄ２に沿って並んでいる。複数のホック１６は、例えば、ベース枕１０の第２方向Ｄ２の中央を含む領域において第２方向Ｄ２に沿って配列されている。
【００２５】
一例として、ホック１６の数は５である。しかしながら、ホック１６の数及び配置態様は適宜変更可能である。なお、固定部１５は、例えば面ファスナー等、ホック１６以外の手段であってもよい。また、各可動部５０は、固定部１５を基準として第２方向Ｄ２に移動可能とされている。一対の可動部５０の一方はベース枕１０の左側に取り付けられ、一対の可動部５０の他方はベース枕１０の右側に取り付けられる。
【００２６】
ベース枕１０は、第１方向Ｄ１、及び第１方向Ｄ１に交差する第２方向Ｄ２の双方に延びている。例えば、第１方向Ｄ１はベース枕１０の長手方向であり、第２方向Ｄ２はベース枕１０の幅方向である。ベース枕１０の第１方向Ｄ１の長さＬ１は、例えば、５０ｃｍ以上且つ７０ｃｍ以下であり、一例として６０ｃｍである。ベース枕１０の第２方向Ｄ２の幅Ｌ２は、例えば、３０ｃｍ以上且つ４５ｃｍ以下であり、一例として３７ｃｍである。
【００２７】
ベース枕１０は、第１方向Ｄ１の中央に位置する中央枕部２０と、中央枕部２０の第１方向Ｄ１の両端側のそれぞれに設けられる一対の両側枕部３０とを備える。両側枕部３０は、例えば、中央枕部２０に直接縫い込まれている。ベース枕１０は、例えば、中央枕部２０に対して左右対称とされている。ベース枕１０の厚さ方向である方向Ｄ３（図４又は図５参照）から見たときに、中央枕部２０は第１方向Ｄ１及び第２方向Ｄ２に延びる長方形状とされている。各両側枕部３０は第１方向Ｄ１の端部側に分断された状態で延びている。
【００２８】
中央枕部２０は、中央枕部２０の中央に位置する第１部分２１と、第１部分２１の第２方向Ｄ２の一方側に位置する第２部分２２と、第１部分２１の第２方向Ｄ２の他方側に位置する第３部分２３とを備える。方向Ｄ３から見た場合において、第１部分２１の形状、第２部分２２の形状、及び第３部分２３の形状のそれぞれは、例えば、第１方向Ｄ１に延びる長辺を有する長方形状とされている。しかしながら、第１部分２１の形状、第２部分２２の形状、及び第３部分２３の形状は、適宜変更可能である。例えば、第２部分２２の第１方向Ｄ１の端部、及び第３部分２３の第１方向Ｄ１の端部、のそれぞれが第２方向Ｄ２の端部側に湾曲していてもよい。
【００２９】
例えば、第２部分２２は使用者の後頭部の頭頂部側が載せられる部分に相当し、第３部分２３は使用者の首が載せられる部分に相当する。第１部分２１と第２部分２２とは第１マチ部２４を介して互いに仕切られており、第１部分２１と第３部分２３とは第２マチ部２５を介して互いに仕切られている。
【００３０】
第２部分２２の第２方向Ｄ２の長さＬ３と第３部分２３の第２方向Ｄ２の長さＬ４とは互いに異なっており、例えば、長さＬ３は長さＬ４よりも長い。このように長さＬ３と長さＬ４とが互いに異なることにより、例えば、首が長い使用者の場合には第２部分２２と第３部分２３の位置（第２方向Ｄ２の向き）を逆にして枕本体１を使うことも可能である。長さＬ３は、例えば、１０ｃｍ以上且つ２０ｃｍ以下であり、一例として１４ｃｍである。長さＬ４は、例えば、８ｃｍ以上且つ１５ｃｍ以下であり、一例として１２ｃｍである。
【００３１】
ベース枕１０の幅（第２方向Ｄ２の長さ）は、第１方向Ｄ１の両端側に向かうにつれて長くなっている。両側枕部３０は、第２方向Ｄ２の中央に位置する第４部分３１と、第４部分３１の第２方向Ｄ２の両端側のそれぞれに位置する第５部分３２とを備える。両側枕部３０は、一対の第５部分３２及び第４部分３１を備えており、３分割されている。各第４部分３１は中央枕部２０の第１部分２１に連結されており、各第５部分３２は第２部分２２及び第３部分２３のそれぞれに連結されている。
【００３２】
ベース枕１０は、例えば、両側枕部３０にベース枕１０を分断するスリット１１を有し、スリット１１の一方側が第４部分３１とされており、スリット１１の他方側が第５部分３２とされている。スリット１１は、例えば、第１方向Ｄ１に沿って延びている。しかしながら、スリット１１は、第１方向Ｄ１に対して斜めに延びていてもよく、例えば、ベース枕１０の第１方向Ｄ１の中央から端部に向かうにつれてベース枕１０の第２方向Ｄ２の端部側に斜めに延びていてもよい。第４部分３１及び第５部分３２は、共に、中央枕部２０に第１方向Ｄ１に沿って連結されており、例えば、中央枕部２０に縫い込まれている。
【００３３】
方向Ｄ３から見たときに、第２方向Ｄ２の中央に位置する第４部分３１は、例えば、第１方向Ｄ１に延びる長辺を有する長方形状とされている。具体例として、第４部分３１は、中央枕部２０に連結されると共に第２方向Ｄ２に沿って延びる連結部３１ｂと、連結部３１ｂの第２方向Ｄ２の両端のそれぞれから第１方向Ｄ１の端部側に延び出す一対の長辺部３１ｃと、各長辺部３１ｃの連結部３１ｂとの反対側の端部において第２方向Ｄ２に延びる短辺部３１ｄとを有する。
【００３４】
この場合、第４部分３１は、連結部３１ｂ、各長辺部３１ｃ及び短辺部３１ｄを各辺とした長方形状とされる。なお、第４部分３１の形状は、例えば、第１方向Ｄ１の両端側に向かうにつれて幅が広くなる台形状とされていてもよく、適宜変更可能である。第４部分３１が台形状である場合、例えば、第４部分３１は、連結部３１ｂを上底、短辺部３１ｄを連結部３１ｂよりも長い下底、各長辺部３１ｃを脚とした台形状となる。
【００３５】
第５部分３２は、ベース枕１０の四隅のそれぞれに設けられており、例えば、第１方向Ｄ１の端部側に向かうにつれて第２方向Ｄ２の外側に張り出している。具体例として、各第５部分３２は、中央枕部２０に連結されると共に第２方向Ｄ２に沿って延びる連結部３２ｂと、連結部３２ｂの第２方向Ｄ２の一端から斜めに延び出す第１辺部３２ｃと、連結部３２ｂの第２方向Ｄ２の他端から第１方向Ｄ１に沿って延び出す第２辺部３２ｄと、第１辺部３２ｃ及び第２辺部３２ｄのそれぞれの連結部３２ｂとの反対側の端部において第２方向Ｄ２に延びる第３辺部３２ｆとを有する。
【００３６】
第５部分３２は、例えば、連結部３２ｂを上底、第３辺部３２ｆを下底、第１辺部３２ｃ及び第２辺部３２ｄのそれぞれを脚とした台形状とされていてもよい。第２辺部３２ｄは第１辺部３２ｃに平行に延びていてもよく、この場合、第５部分３２は、連結部３２ｂと第３辺部３２ｆとを１組の対辺、第１辺部３２ｃと第２辺部３２ｄとを１組の対辺とした平行四辺形状となる。以上のように、第４部分３１及び第５部分３２の形状は適宜変更可能である。
【００３７】
図３は、ベース枕１０の裏面１０ｃ（表面１０ｂの反対側を向く面）を模式的に示す平面図である。図４は、図１のＩＶ−ＩＶ線に沿った断面図である。図５は、図１のＶ−Ｖ線に沿った断面図である。図３〜図５に示されるように、ベース枕１０は内容物４０が収容される複数の内部空間Ｓを有する。内部空間Ｓは、第１部分２１の内部に位置する第１内部空間Ｓ１、第２部分２２の内部に位置する第２内部空間Ｓ２、第３部分２３の内部に位置する第３内部空間Ｓ３、各第４部分３１の内部に位置する第４内部空間Ｓ４、及び各第５部分３２の内部に位置する第５内部空間Ｓ５を含んでいる。
【００３８】
内容物４０は、例えば、柔軟性素材４１と粒状体４２とを含んでいる。柔軟性素材４１は、例えば、綿（わた）、粒綿、ウレタン又は羽毛であり、一例としてポリエチレン製のパイプ材であってもよい。柔軟性素材４１は、例えば、形が崩れることを防止する形状保持部として機能する。すなわち、柔軟性素材４１が収容された内部空間Ｓは、高い柔軟性及び弾性を有すると共に形が崩れることが抑制される。
【００３９】
粒状体４２は、例えば、中空とされた中空粒状体である。中空粒状体としては、中空とされたパイプ材又はビーズが挙げられる。粒状体４２は、中実粒状体であってもよい。中実粒状体としては、例えば、蕎麦殻、ヒノキ又はアズキ等が挙げられる。粒状体４２は、例えば、外力による変形を許容すると共に当該変形による形状を維持する変形維持部として機能する。すなわち、粒状体４２が収容された内部空間Ｓは、外力によって変形すると共に変形した後の形が維持される。
【００４０】
本実施形態では、第１部分２１の第１内部空間Ｓ１に柔軟性素材４１が収容されており、第２部分２２の第２内部空間Ｓ２、第３部分２３の第３内部空間Ｓ３、各第４部分３１の第４内部空間Ｓ４、及び各第５部分３２の第５内部空間Ｓ５、のそれぞれに粒状体４２が収容されている。
【００４１】
外力が付与されていない状態では、例えば、第１部分２１が最も高くなっており、第２部分２２、第３部分２３、各第４部分３１及び各第５部分３２の高さは第１部分２１の高さよりも低い。しかしながら、第１部分２１、第２部分２２、第３部分２３、各第４部分３１及び各第５部分３２に収容される内容物４０の種類、並びに、第１部分２１、第２部分２２、第３部分２３、各第４部分３１及び各第５部分３２の高さは適宜変更可能である。
【００４２】
ベース枕１０の裏面１０ｃには、第１部分２１を開閉する第１ファスナー４３、第２部分２２を開閉する第２ファスナー４４、第３部分２３を開閉する第３ファスナー４５、各第４部分３１を開閉する第４ファスナー４６、及び各第５部分３２を開閉する第５ファスナー４７が設けられている。
【００４３】
第１ファスナー４３、第２ファスナー４４、第３ファスナー４５、第４ファスナー４６及び第５ファスナー４７のそれぞれが開閉されることによって、第１部分２１、第２部分２２、第３部分２３、各第４部分３１及び各第５部分３２の内容物４０の量及び種類を変更することが可能である。
【００４４】
第１ファスナー４３、第２ファスナー４４、第３ファスナー４５、第４ファスナー４６及び第５ファスナー４７のそれぞれは、例えば、第１部分２１、第２部分２２、第３部分２３、第４部分３１及び第５部分３２のそれぞれの第２方向Ｄ２の中央において第１方向Ｄ１に沿って延びている。
【００４５】
このように、第１ファスナー４３、第２ファスナー４４、第３ファスナー４５、第４ファスナー４６及び第５ファスナー４７のそれぞれをベース枕１０の裏面１０ｃに配置することにより、第１ファスナー４３、第２ファスナー４４、第３ファスナー４５、第４ファスナー４６及び第５ファスナー４７のいずれかが使用者の身体に当たることを抑制することができる。但し、ベース枕１０のファスナーの態様は、第１ファスナー４３、第２ファスナー４４、第３ファスナー４５、第４ファスナー４６及び第５ファスナー４７に限られず適宜変更可能である。すなわち、ベース枕１０のファスナーの数、長さ及び配置態様は適宜変更可能である。
【００４６】
図１及び図５に示されるように、ベース枕１０の上部には可動部５０が載せられる。可動部５０は、中央枕部２０の第１方向Ｄ１の両端のそれぞれに位置する固定部１５に着脱可能とされている。可動部５０の第２方向Ｄ２の位置は変更自在とされており、可動部５０の第２方向Ｄ２の位置を変更することによって枕本体１の高さを変更可能である。可動部５０はベース枕１０に載せられるので、可動部５０が載せられた枕本体１の部位は可動部５０が載せられていない枕本体１の部位よりも高くなる。
【００４７】
図６は、可動部５０の表面５０ｂを示す平面図である。表面５０ｂは、例えば、使用時に上方（敷き寝具の反対側）に向けられる面である。図１及び図６に示されるように、可動部５０は、例えば、固定部１５から離れるにつれて幅広となる台形状とされている。具体例として、可動部５０は、固定部１５に固定される幅狭部５１と、幅狭部５１に対向すると共に幅狭部５１よりも長い幅広部５２と、幅狭部５１の一端及び幅広部５２の一端を互いに連結する第１脚部５３と、幅狭部５１の他端及び幅広部５２の他端を互いに連結する第２脚部５４とを有する。このように、可動部５０は、固定部１５から離れるにつれて幅広とされるので、固定部１５に固定された状態で第２方向Ｄ２に移動しやすい形状とされている。
【００４８】
例えば、可動部５０の第１方向Ｄ１（可動部５０の長手方向）の長さＬ５は、両側枕部３０の第１方向Ｄ１の長さＬ６（図２参照）よりも長い。長さＬ５が長さＬ６よりも長いことにより、固定部１５に取り付けられた可動部５０がベース枕１０よりも第１方向Ｄ１の両端側に延びるので、ベース枕１０及び可動部５０がカバーに収容されたときにカバーの表面に段差を生じさせにくくすることが可能となる。
【００４９】
幅狭部５１、幅広部５２、第１脚部５３及び第２脚部５４は、例えば、共に直線状とされている。しかしながら、幅狭部５１、幅広部５２、第１脚部５３及び第２脚部５４の少なくともいずれかが曲線状（例えば、可動部５０が膨らむように湾曲した曲線状）とされていてもよい。幅広部５２と第１脚部５３との間に湾曲部５５が形成されていてもよいし、幅広部５２と第２脚部５４との間に湾曲部５６が形成されていてもよい。
【００５０】
図７は、可動部５０の裏面５０ｃを示す平面図である。裏面５０ｃは、表面５０ｂの反対側を向く面である。図５及び図７に示されるように、可動部５０は内部空間Ｋを有する袋状とされており、内部空間Ｋには内容物６０が収容されている。内容物６０は、例えば、柔軟性素材６１を含んでいる。
【００５１】
柔軟性素材６１は、例えば前述した柔軟性素材４１と同様、綿（わた）、粒綿、ウレタン又は羽毛であり、一例としてポリエチレン製のパイプ材であってもよい。柔軟性素材６１が収容された内部空間Ｋは、高い柔軟性及び弾性を有すると共に形が崩れることが抑制される。なお、内容物６０は、蕎麦殻、ヒノキ又はアズキ等の粒状体を含んでいてもよい。
【００５２】
可動部５０の裏面５０ｃには、内部空間Ｋを開閉するファスナー５７が設けられている。ファスナー５７が開閉されることによって可動部５０の内容物６０の量及び種類を変更することが可能である。ファスナー５７は、例えば、裏面５０ｃの中央において可動部５０の長手方向に沿って延びている。
【００５３】
このように、ファスナー５７は可動部５０の裏面５０ｃに配置されるので、ファスナー５７が使用者の身体に当たることを抑制することができる。但し、可動部５０のファスナーの態様は、ファスナー５７に限られず適宜変更可能である。すなわち、可動部５０のファスナーの数、長さ及び配置態様は適宜変更可能である。
【００５４】
図８は、可動部５０の幅狭部５１を示す斜視図である。図９は、可動部５０の幅広部５２を示す斜視図である。幅狭部５１には、ベース枕１０の固定部１５（図２参照）に取り付けられる固定部５８が設けられる。例えば、固定部５８は固定部１５に取り付けられる複数のホック５８ｂを備えており、複数のホック５８ｂは可動部５０の幅方向に沿って並んでいる。
【００５５】
複数のホック５８ｂの間隔は、例えば、固定部１５の複数のホック１６の間隔と略同一であり、各ホック５８ｂが各ホック１６に取り付けられることによって固定部１５に可動部５０が固定される。一例として、ホック５８ｂの数は２である。しかしながら、ホック５８ｂの数及び配置態様は適宜変更可能である。なお、固定部５８は、例えば面ファスナー等、ホック５８ｂ以外の固定手段であってもよい。
【００５６】
幅広部５２には、ベース枕１０及び可動部５０を収容するカバーの内面に取り付けられる固定部５９が設けられる。固定部５９は、例えば固定部５８と同様、カバーの内面に取り付けられる複数のホック５９ｂを備えており、複数のホック５９ｂは可動部５０の幅方向に沿って並んでいる。
【００５７】
各ホック５９ｂがカバーの内面に設けられたホックに取り付けられることによってカバーの内面に可動部５０が固定される。一例として、固定部５９の数は５である。しかしながら、ホック５９ｂの数及び配置態様についても適宜変更可能であり、固定部５９は、面ファスナー等、ホック５９ｂ以外の固定手段であってもよい。
【００５８】
次に、本実施形態に係る枕本体１及び枕から得られる作用効果について詳細に説明する。図１に示されるように、枕本体１では、第１方向Ｄ１に沿って並ぶ一対の可動部５０がベース枕１０に取り付けられる。一対の可動部５０のそれぞれは、ベース枕１０に設けられた固定部１５を基準として第１方向Ｄ１に交差する第２方向Ｄ２に移動可能とされている。従って、一対の可動部５０の第２方向Ｄ２における位置を調整することができるので、一対の可動部５０の間に使用者の顔及び首が載せられて使用者が横向き寝をしたときに、使用者の頬の位置に可動部５０の位置を合わせることが可能となる。
【００５９】
すなわち、一対の可動部５０の位置を横向き寝時における頬が当たる位置に合わせることができる。従って、使用者の顔又は首の大きさに応じて一対の可動部５０の位置を調整して可動部５０に使用者の頬が当たるようにすることができる。その結果、使用者の顔又は首の大きさを考慮して可動部５０の位置を調整することにより、使用者の身体に応じた横向き寝に相応しい枕（枕本体１及びカバー）を提供することができる。更に、ベース枕１０に収容される内容物４０の量を調整しなくても、可動部５０の移動によって枕の高さ、すなわち、枕のカバーに収容される枕本体１の高さを変えることができる。従って、枕本体１の高さの変更を容易に行うことができる。
【００６０】
本実施形態において、固定部１５は、可動部５０から見てベース枕１０の第１方向Ｄ１の中央側に設けられている。よって、ベース枕１０の第１方向Ｄ１の中央側に位置する固定部１５を基準として可動部５０が第２方向Ｄ２に移動する。従って、第１方向Ｄ１の中央側の固定部１５を基準として可動部５０が弧状に移動することにより、可動部５０の位置を使用者の頬が当たる位置に合わせやすくすることができる。その結果、より快適な横向き寝を使用者に提供することができる。
【００６１】
図１及び図５に示されるように、本実施形態に係るベース枕１０は、可動部５０の下部に位置すると共にベース枕１０を分断するスリット１１を有する。すなわち、可動部５０の下部にベース枕１０のスリット１１が設けられる。従って、可動部５０の位置を調整して可動部５０をスリット１１に入り込ませることが可能となる。
【００６２】
よって、スリット１１に対する可動部５０の入り込み具合を調整することによって可動部５０の高さを調整することができるので、使用者の身体に一層適した枕本体１の高さとなるように調整を行うことが可能となる。その結果、使用者の顔又は首の大きさに応じて枕本体１の高い部分を可変とすることができるので、より使用者の身体に適した枕本体１とすることができる。
【００６３】
本実施形態において、ベース枕１０の第２方向Ｄ２の長さは、第１方向Ｄ１の両端側に向かうにつれて長くなっている。すなわち、ベース枕１０の形状は、第１方向Ｄ１の両端側に向かうにつれて幅広となる。更に換言すれば、平面視におけるベース枕１０の形状が蝶形となるので、横向き寝時に使用者の顔が当たる枕本体１の箇所の接触面積を大きくすることができる。従って、横向き寝時における体圧分散性を高めることができるので、更に快適な横向き寝を提供することができる。
【００６４】
本実施形態において、ベース枕１０は、可動部５０の下部に位置する内部空間Ｓを有し、内部空間Ｓには、粒状体４２が収容されている。すなわち、可動部５０の下部に位置するベース枕１０の内部空間Ｓに粒状体４２が収容されている。ベース枕１０の内容物４０として粒状体４２が収容される場合、ベース枕１０に外力が付与されたときに、付与された外力に応じてベース枕１０が変形して変形後の形を維持することができる。
【００６５】
すなわち、ベース枕の内容物として綿等が収容される場合には付与された外力が解除されると変形が元に戻ってしまうのに対し、ベース枕１０の内容物４０として粒状体４２が収容される場合には付与された外力を解除しても変形後の形を維持することができる。従って、粒状体４２が収容されたベース枕１０に上から可動部５０を押し付けると、可動部５０の押し付けに応じてベース枕１０が変形し当該変形を維持しやすくすることができる。その結果、可動部５０の押し込み具合に応じてベース枕１０を自在に変形できるので、使用者の身体に応じて枕本体１の形を変えることが可能となる。よって、使用者の身体により適した枕本体１とすることができる。
【００６６】
本実施形態において、可動部５０は、ベース枕１０に対して着脱可能とされている。よって、不要な場合等には可動部５０をベース枕１０から外してベース枕１０を通常の枕と同様に使用することが可能となる。従って、使用者の要求に応じて更に枕本体１を自在に変形できるので、より使用者のニーズに合った枕本体１とすることができる。
【００６７】
本実施形態に係る枕は、枕本体１と、枕本体１を収容するカバーとを備える。この枕は、カバーの中に枕本体１が収容されて用いられる。従って、枕本体１において、一対の可動部５０の第２方向Ｄ２における位置を調整することができ、各可動部５０の第２方向Ｄ２における位置を横向き寝時における頬が当たる位置に合わせることができる。従って、前述した枕本体１と同様の作用効果が得られる。
【００６８】
以上、本発明に係る枕本体、及び枕の実施形態について説明した。しかしながら、本発明は、前述した実施形態に限定されるものではなく、各請求項に記載した要旨を変更しない範囲において適宜変更可能である。すなわち、ベース枕及び可動部の各部の形状、大きさ、材料、数及び配置態様は、上記の要旨を逸脱しない範囲において適宜変更可能である。
【００６９】
例えば、前述の実施形態では、３分割されている両側枕部３０について説明した。しかしながら、ベース枕の両側枕部の分割数は、２又は４以上であってもよいし、ベース枕は分割されていなくてもよい。図１０（ａ）、図１０（ｂ）及び図１０（ｃ）に例示されるように、ベース枕１０の両側枕部の形状、スリットの向き、並びに、第４部分及び第５部分の配置態様は適宜変更可能である。例えば、図１０（ａ）に示される両側枕部３０Ａでは、平面視において、第４部分３１Ａは第２方向Ｄ２の端部側に向かうにつれて広がる台形状とされており、各スリット１１Ａは第２方向Ｄ２の端部側に向かうにつれて第１方向Ｄ１の端部側に斜めに延びており、各第５部分３２Ａは平行四辺形状とされている。
【００７０】
図１０（ｂ）に示される両側枕部３０Ｂでは、平面視において、第４部分３１Ｂは長方形状とされており、各スリット１１Ｂは第１方向Ｄ１に沿って延びており、各第５部分３２Ｂは第２方向Ｄ２の端部側に向かうにつれて広がる台形状とされている。図１０（ｃ）に示される両側枕部３０Ｃは、第２方向Ｄ２の一方側に位置する第６部分３１Ｆと、第２方向Ｄ２の他方側に位置する第７部分３１Ｇとを備える。
【００７１】
第６部分３１Ｆと第７部分３１Ｇとの間には、１つのスリット１１Ｃが設けられており、例えば、スリット１１Ｃは第６部分３１Ｆ及び第７部分３１Ｇの間において第１方向Ｄ１及び第２方向Ｄ２の双方に傾斜する方向に延びている。平面視において、例えば、第６部分３１Ｆの形状は第２方向Ｄ２の両端側に向かうにつれて広がる台形状とされており、第７部分３１Ｇの形状は平行四辺形状とされている。以上のように、ベース枕の両側枕部、及びスリットの形状、大きさ、数及び配置態様は適宜変更可能である。同様に、ベース枕の中央枕部、及び可動部の形状、大きさ、数、材料及び配置態様についても前述した実施形態に限られず適宜変更可能である。
【００７２】
例えば、図１１に示されるように、中央枕部２０の第１部分２１と一対の可動部５０とが一体の着脱用枕７０とされており、本発明に係る枕本体、及び枕は、着脱用枕７０がベース枕に着脱される枕本体、及び枕であってもよい。この場合、ベース枕の上に着脱用枕７０が取り付けられた状態で第１部分２１に対する各可動部５０の第２方向Ｄ２の位置を可変とすることができるので、前述した枕本体１及び枕と同様の効果が得られる。更に、ベース枕の上面、又はベース枕の下面に着脱用枕を取り付けて複数層の枕本体、又は枕としてもよい。
【００７３】
例えば、前述の実施形態では、カバーの内面に取り付けられる固定部５９を備え、カバーの内面に取り付けられる可動部５０について説明した。しかしながら、カバーの内部における可動部の取付の態様は適宜変更可能である。但し、カバーの内面に取り付けられる可動部５０の場合、カバーに対する可動部５０の取付位置が第１方向Ｄ１及び第２方向Ｄ２の端部となるため、固定部５９を使用者の身体に当たりにくくすることができる。また、可動部５０をベース枕１０に取り付ける固定部１５の態様も適宜変更可能である。例えば、固定部１５は伸縮性が高い生地によって構成されていてもよく、この場合、可動部５０を第２方向Ｄ２に一層移動しやすくすることが可能となる。
【００７４】
また、前述の実施形態では、可動部５０から見てベース枕１０の第１方向Ｄ１の中央側に設けられる固定部１５について説明した。しかしながら、可動部に対するベース枕の位置は適宜変更可能である。例えば、可動部５０から見てベース枕１０の第１方向Ｄ１の端部側に固定部が設けられていてもよい。更に、可動部はベース枕に対して着脱可能とされていなくてもよい。
【００７５】
また、前述の実施形態では、ベース枕１０を分断するスリット１１を有する枕本体１について説明した。しかしながら、本発明に係る枕本体は、スリットを有しない枕本体であってもよい。例えば、本発明に係る枕本体は、スリットに代えて、凹部を有する枕本体であってもよい。この場合、凹部に可動部を入り込ませることが可能であるため、前述と同様の効果が得られる。更に、前述の実施形態では、ベース枕１０の第２方向Ｄ２の長さが第１方向Ｄ１の両端側に向かうにつれて長くなる枕本体１について説明した。しかしながら、本発明に係る枕本体の形状は、例えば、長方形状等、他の形状であってもよい。このように、枕本体、及び枕の形状等は適宜変更可能である。
【符号の説明】
【００７６】
１…枕本体、１０…ベース枕、１０ｂ…表面、１０ｃ…裏面、１１，１１Ａ，１１Ｂ，１１Ｃ…スリット、１５…固定部、１６…ホック、２０…中央枕部、２１…第１部分、２２…第２部分、２３…第３部分、２４…第１マチ部、２５…第２マチ部、３０，３０Ａ，３０Ｂ，３０Ｃ…両側枕部、３１，３１Ａ，３１Ｂ…第４部分、３１ｂ…連結部、３１ｃ…長辺部、３１ｄ…短辺部、３１Ｆ…第６部分、３１Ｇ…第７部分、３２，３２Ａ，３２Ｂ…第５部分、３２ｂ…連結部、３２ｃ…第１辺部、３２ｄ…第２辺部、３２ｆ…第３辺部、４０…内容物、４１…柔軟性素材、４２…粒状体、４３…第１ファスナー、４４…第２ファスナー、４５…第３ファスナー、４６…第４ファスナー、４７…第５ファスナー、５０…可動部、５０ｂ…表面、５０ｃ…裏面、５１…幅狭部、５２…幅広部、５３…第１脚部、５４…第２脚部、５５…湾曲部、５６…湾曲部、５７…ファスナー、５８…固定部、５８ｂ…ホック、５９…固定部、５９ｂ…ホック、６０…内容物、６１…柔軟性素材、７０…着脱用枕、Ｄ１…第１方向、Ｄ２…第２方向、Ｄ３…方向、Ｋ…内部空間、Ｌ２…幅、Ｓ…内部空間、Ｓ１…第１内部空間、Ｓ２…第２内部空間、Ｓ３…第３内部空間、Ｓ４…第４内部空間、Ｓ５…第５内部空間。
【図１】
2020171486.tif 000003
【図２】
2020171486.tif 000004
【図３】
2020171486.tif 000005
【図４】
2020171486.tif 000006
【図５】
2020171486.tif 000007
【図６】
2020171486.tif 000008
【図７】
2020171486.tif 000009
【図８】
2020171486.tif 000010
【図９】
2020171486.tif 000011
【図１０】
2020171486.tif 000012
【図１１】
2020171486.tif 000013